(57)【要約】   【課題】    浴槽内で使える幼児用バスチェアは浴槽の縁幅に応じた固着力に弱く、手を自由に動かすことが出来ないことや座り心地が悪さから幼児の機嫌が悪くなる問題があった。【解決手段】  浴槽１２に取り付けて該浴槽１２内に座面９を設けてなる幼児用バスタブチェア１であって、左右一対からなり、略垂直に設けられた２本の調節吊り具４の上端部に略水平に折曲して引っ掛けフック２が連設してとりつけられ、前記調節吊り具４下部に略水平に座面９が配置され、前記座面９と２本の調節吊り具４とが固定ベルト５で連結してなる幼児用バスタブチェアによって解決した。【選択図】  図１
2013070910.tif 000002
【特許請求の範囲】
【請求項１】
浴槽１２に取り付けて該浴槽１２内に座面９を設けてなる幼児用バスタブチェア１であって、左右一対からなり略垂直に設けられた２本の調節吊り具４の上端部に略水平に折曲して引っ掛けフック２が連設してとりつけられ、前記調節吊り具４下部に略水平に座面９が配置され、前記座面９と２本の調節吊り具４とが固定ベルト５で連結してなることを特徴とする幼児用バスタブチェア。
【請求項２】
前記引っかけフック２が外管２ａと該外管２ａに内接して設けられた内管２ｂとからなり、それらをスライド調節して長さが調節可能となることを特徴とする請求項１に記載の幼児用バスタブチェア。
【請求項３】
前記引っ掛けフック２の外管２ａ及び内管２ｂは略Ｌ字型形状を有し、外管２ａの上部水平部と、内管２ｂの下部垂直部に吸盤型ゴム付き固定ネジ１０、１１が設けられ、浴槽１２の浴槽縁１３の幅に合わせてスライドさせた外管２ａ及び内管２ｂを浴槽１２の浴槽縁１３及び浴槽壁１４の表面に圧接し、前記吸盤型ゴム付き固定ネジ１０、１１を締めることによって、前記引っ掛けフック２を安定的に浴槽１２の浴槽縁１３に固定させることを特徴とする請求項１又は２に記載の幼児用バスタブチェア。
【請求項４】
前記２本の調節吊り具４は、複数の穴を有する内板４ａと、外板４ｂとからなり、カギフック４ｄを内板４ａの調節穴４ｃに引っかけて、調節吊具４の長さを調整自在に固定することが可能となることを特徴とする請求項１〜３のいずれか一項に記載の幼児用バスタブチェア。
【請求項５】
前記２本の調節吊り具４のカギフック４ｄの先端部が、該カギフック４ｄの先端部は正面視内板４ａの裏面と浴槽12の浴槽壁１４の間に位置することを特徴とする請求項１〜４のいずれか一項に記載の幼児用バスタブチェア。
【請求項６】
前記２本の調節吊り具４上部に取り付けられた固定ベルト５は長さを調節出来る調節バックル６と着脱具オス７を有し、前記座面９に取り付けられた着脱部メス８を有するベルトとしっかり固定出来ることを特徴とする請求項１〜５のいずれか一項に記載の幼児用バスタブチェア。
【発明の詳細な説明】
【技術分野】
【０００１】
本発明は、大人が幼児を入浴させる際に、幼児を安全に浴槽に浸からせておくことにより、幼児も大人も安心して入浴することを可能にする用具に関する。
【背景技術】
【０００２】
大人が幼児を入浴させる場合、子供の安全を守ることは、重要な課題である。大人が洗い場で体を洗っている場合、幼児の扱いは大変難しい。この問題を解決するために、幼児を座らせておくバスチェアのような物はあった。(例えば特許文献１参照)        
【先行技術文献】
【特許文献】
【０００３】
【特許文献１】特開２００３−５２５６３号公報
【発明の概要】
【発明が解決しようとする課題】
【０００４】
市販されているバスチェアは、浴槽内で用いることが出来ないため、バスチェアを洗い場に置くか、浴室の外に置くしかなく、幼児が湯冷めしたり、事故が起こる可能性が高い等の問題があった。それを改善するための幼児用バスチェアはあったが（例えば特殊文献１参照）、浴槽の縁幅に応じた固着力に弱く、手を自由に動かすことが出来ないため、幼児の機嫌が悪くなることが多くあった。
【課題を解決するための手段】
【０００５】
本発明は、幼児が座る椅子を浴槽内に安定的に設置するものであり、当該幼児が座る椅子は引っ掛けフックによって浴槽の縁に引っ掛けることが可能な構造となっている。当該引っ掛けフックは、浴槽の縁の幅に合わせてスライドすることが可能になっており、更に、ネジで固定出来るようになっている。
【０００６】
更に、当該引っ掛けフックは、調節吊具によって幼児が座る椅子に取り付けられているため、当該調節吊具の位置を調整することにより、幼児の湯の表面からの位置を最適に保つことが出来る。
【０００７】
更に、当該幼児が座る椅子には、幼児の位置を固定し、湯に落ちることを防止するための、着脱部を有する長短調整可能なベルトが取り付けられていて、幼児の安全性を確保している。そのため、幼児が湯冷めすることを防止し、さらにお湯の中に幼児が浸かっていることにより、幼児が快適であることを可能ならしめるものである。
【発明の効果】
【０００８】
本発明のバスチェアは、浴槽内で用いることが出来るため、幼児を洗い場に置いておいたり、浴室の外に置く必要もない。このため、大人は、幼児にお湯がかかる心配がなく洗い場を使える。更に、幼児に目が届くので、幼児が湯冷めしたり、事故が起こる可能性を低くすることが出来る。
【図面の簡単な説明】
【０００９】
【図１】本発明のバスタブチェアの外観構造を示す斜視図である。
【図２】本発明の調節吊り具を伸長させた状態を示す斜視図である。
【図３】本発明の引っ掛けフックと調節吊り具の拡大図である。
【図４】本発明の引っ掛けフックと調節吊り具を横から見た拡大図である。
【図５】本発明のスライド具と固定ネジの拡大図である。
【図６】本発明のスライド具と固定ネジを横から見た拡大図である。
【図７】本発明の調節バックルを横から見た拡大図である。
【図８】本発明の調節バックルを裏から見た拡大図である。
【図９】本発明の着脱具オスを外した拡大図である。
【図１０】本発明の着脱具オスをメスに差し込んだ拡大図である。
【図１１】本発明の使用した時の横から見た図である。
【図１２】本発明の使用した時の正面から見た図である。
【図１３】本発明の使用した時の背後から見た図である。
【発明を実施するための形態】
【００１０】
本発明の幼児用バスタブチェア１につき、詳細を図面に従って詳しく述べる。図1は本発明の幼児用バスタブチェアの外観構造を示す斜視図である。横幅Ｗは例えば３０〜３５ｃｍが適当で、幅固定具３でつながれている。高さＨは例えば３０ｃｍ〜４０ｃｍ、座面の奥行Ｄは例えば１５ｃｍ〜２５ｃｍが適当であるが、これらの寸法に限るものではない。
【００１１】
本発明の幼児用バスタブチェア１は、浴槽１２に取り付けて浴槽１２内に座面９が設けられて構成されてなる幼児用バスタブチェアである。その構成を詳細に説明すると、左右一対からなり、略垂直に設けられた２本の調節吊り具４の上端部に略水平に折曲して引っ掛けフック２が連設して取り付けられている。前記、調節吊り具４の下部に略水平に座面９が配置され、前記座面９と２本の調節吊り具４とが固定ベルト５で連結してなる構成とされている。
【００１２】
引っ掛けフック２は、座面９を有する調節吊り具４を浴槽縁１３に吊り下げ固定するものである。引っ掛けフック２は耐荷重性に優れ、浴槽１２を傷つけにくい材質のものが適当である。例えばステンレスやアルミ等の非鉄金属類が適当あるが、これらに限るものではない。
【００１３】
引っ掛けフック２の外管２ａおよび内管２ｂは、略Ｌ字型形状を有し、外管２ａの上部略水平部に吸盤型ゴム付き固定ネジ１１が設けられ、内管２ｂの略垂直部に吸盤型ゴム付き固定ネジ１０が設けられている。前記吸盤型ゴム付き固定ネジ１０の浴槽壁１４側に吸盤型ゴム１０ｂが設けられている。前記吸盤型ゴム付き固定ネジ１１の浴槽縁１３側に吸盤型ゴム１１ａが設けられている。
【００１４】
引っ掛けフック２の内管２ｂの上部の略水平部が外管２ａ上部の略水平部に挿入しスライド可能とされており、内管２ｂをスライドさせ、前記、吸盤型ゴム１０ｂを浴槽壁１４の表面に密接させる。また、前記、吸盤型ゴム１１ａを浴槽縁１３の表面に密接させる。浴槽１２の浴槽縁１３の幅に合致した引っ掛けフック調節穴２ｃに吸盤型ゴム付き固定ネジ１１を締めることによって、外管２ａ及び内管２ｂを固定させることが出来る。前記のように、引っ掛けフック２の内管２ｂの上部の略水平部が外管２ａ上部の略水平部に挿入しスライド可能とされていることにより、引っ掛けフックの奥行きが伸縮可能となる構成とされている。例えば最短約８ｃｍ〜最長約１２ｃｍ程度に伸縮可能だが、これに限るものではない。
【００１５】
外管２ａと内管２ｂには複数の引っ掛けフック調節穴２ｃが設けられている。その穴は例えば長径約１０〜２０ｍｍ程度、短径約５〜１５ｍｍ程度の楕円形が好適であるが、これに限るものではない。
【００１６】
吸盤型ゴム付き固定ネジ１１は安全キャップ１１ｂと吸盤型ゴム１１ａを有し、吸盤型ゴム１１ａは摩擦係数の大きい材質のもの、その他のゴム質材料等または、それに類するものが好適である。しかし、これらに限るものではない。
【００１７】
安全キャップ１１ｂは吸盤型ゴム付き固定ネジ１１の突出部にかぶせて、ケガを防止することが出来る。安全キャップ１１ｂは、吸盤型ゴム付き固定ネジ１１の突出部に適合するプラスチックまたはゴム製のキャップが好適であるが、これらに限るものではない。尚、安全キャップ１１ｂは、紛失しないよう、ひもやチェーンなどで、引っ掛けフック２とつながっていても良いが、これに限るものではない。                     
【００１８】
吸盤型ゴム付き固定ネジ１０はノブ１０ａと吸盤型ゴム１０ｂを有し、ノブ１０ａを締めることによって、浴槽１２の浴槽壁１４の表面に圧接し、引っ掛けフック２の固定力を強固にすることが出来る。吸盤型ゴム付き固定ネジ１０に付属している吸盤型ゴム１０ｂは、摩擦係数の大きい材質のもの、その他のゴム質材料等または、それに類するものが好適である。しかし、これらに限るものではない。
【００１９】
調節吊り具４は、その長さを調節することにより、幼児の胸部と湯表面の位置
を最適に保つことが出来る。調節吊り具４は内板４ａと外板４ｂとから成る。調節吊り具４は耐荷重性に優れ、浴槽１２を傷つけにくい、例えばステンレスやアルミ等の非鉄金属類が好適であるが、これらに限るものではない。 調節吊り具４が最短時は例えば２０ｃｍ、最長時は例えば４０ｃｍが適当であるが、これらの寸法に限るものではない。
【００２０】
内板４ａは複数の吊り具調節穴４ｃを有する。該吊り具調整穴４ｃは例えば長径約１０〜２０ｍｍ程度、短径約５〜１５ｍｍ程度の楕円形が好適であるが、これに限るものではない。
【００２１】
外板４ｂは原則、複数の吊具調節穴４ｃとカギフック４ｄを有する。該カギフック４ｄの先端部は正面視内板４ａの裏面と浴槽１２の浴槽壁１４の間に位置する。従って幼児の背中に触れることはない。これにより幼児の背中を傷付けることを防止する。吊具調節穴４ｃは例えば長径約１０〜２０ｍｍ程度、短径約５〜１５ｍｍ程度の楕円形が好適であるが、これに限るものではない。ただし外板４ｂについては、吊具調節穴４ｃの有無については、どちらでも良い。正面視外板４ｂの裏面側にはカギフック４ｄが必ず必要である。    
【００２２】
固定ベルト５は、幼児が湯に落下することを防止し安全を確保するものであ
る。更に手足を自由に動かせることで、幼児が快適であることを可能ならしめる
ものである。 固定ベルト５は、耐水性や速乾性に優れたナイロンメッシュ、ポリエステル、ポリウレタン、シリコーンゴム、カルライトが好適であるが、これらに限るものではない。 固定ベルト５は、調節バックル６によって長さを調節出来、固定ベルト５に付属する着脱具オス７を着脱具メス８に差し込むことにより、しっかりと固定出来る。更に、チャイルドレジスタンス機能として幼児の力では着脱具メス８のロック部を押すことが困難であるため、容易に抜くことができない特徴を兼ね備えている。従って幼児の安全性確保にとって好適である。着脱具オス７と着脱具メス８は差し込むだけで設置可能ならしめる構成となっているため、設置に多くの時間を要さず、すばやく幼児を座面９に固定することが出来る。
【００２３】
調節バックル６は固定ベルト５の長さを調節するためのもので、プラスチック製が適当であるが、これに限るものではない。着脱具オス７と着脱具メス８は、プラスチック製が好適であるが、これに限るものではない。
【００２４】
座面９は、丸みを持ち、体が痛くならない柔らかい例えばビニール製クッションが好適であるが、これに限るものではない。更に、座面９には多くの小さな穴があいていることにより、お湯の浮力を強く受けないような構成にすると、座面９が浮きすぎて幼児の転倒の危険が防止できるので好適である。座面９の奥行きＤは、例えば２０ｃｍ〜２５ｃｍが好適であるが、これに限るものではない。なお、本発明は、上記実施例に限定されるものではなく、例えば以下のものも含まれる。例えば、前記実施例は幼児用のものを示したが、大人用、介護用のものとしてもよい。
【産業上の利用可能性】
【００２５】
上述の発明は、幼児を安心して浴槽に浸からせておけるバスチェアとして利用可能である。
【符号の説明】
【００２６】
１本発明のバスタブチェア      
２引っ掛けフック
２ａ外管
２ｂ内管
２ｃ引っ掛けフック調節穴
３幅固定具
４調節吊具
４a内板
４ｂ外板
４ｃ吊り具調節穴
４ｄカギフック
５固定ベルト
６調節バックル
７着脱具オス
８着脱具メス
９座面
１０吸盤型ゴム付き固定ネジ
１０aノブ
１０ｂ吸盤型ゴム
１１吸盤型ゴム付き固定ネジ
１１a吸盤型ゴム
１１ｂ安全キャップ
１２浴槽
１３浴槽縁
１４浴槽壁
Ｗバスタブチェアの横幅
Ｈバスタブチェアの高さ
Ｄバスタブチェアの座面の奥行き
【図１】
2013070910.tif 000003
【図２】
2013070910.tif 000004
【図３】
2013070910.tif 000005
【図４】
2013070910.tif 000006
【図５】
2013070910.tif 000007
【図６】
2013070910.tif 000008
【図７】
2013070910.tif 000009
【図８】
2013070910.tif 000010
【図９】
2013070910.tif 000011
【図１０】
2013070910.tif 000012
【図１１】
2013070910.tif 000013
【図１２】
2013070910.tif 000014
【図１３】
2013070910.tif 000015